(57)【特許請求の範囲】
【請求項１】
回動軸を有する計器本体と、指示部と前記回動軸の先端側に固着される指針軸とを有する指針と、この指針の背後に配置され前記回動軸あるいは前記指針軸が挿通される貫通穴とを有する表示板と、この表示板の背後に配置され前記貫通穴を通して前記指針を照明する光源とを備え、前記表示板は前記貫通穴の周囲に傾斜面を有し、前記指針は前記指針軸の前方側を覆うキャップを有し、前記傾斜面の周囲径が前記キャップの外径より径小であり、この傾斜面は外周側から前記貫通穴に向かうにつれて前記指針との隙間が大きくなると共に、前記表示板の表面よりも背後側に位置するように前記貫通孔周囲を折り曲げることによって形成されることを特徴とする計器の指針照明装置。
【請求項２】
回動軸を有する計器本体と、指示部と前記回動軸の先端側に固着される指針軸とを有する指針と、この指針の背後に配置され前記回動軸あるいは前記指針軸が挿通される貫通穴とを有する表示板と、この表示板背後の前記回動軸の周囲に配置され前記貫通穴を通して前記指針を照明する光源と、この光源を囲む筒部を有し前記表示板を保持する保持部材とを備え、前記表示板は前記貫通穴の周囲に傾斜面を有し、前記指針は前記指針軸の前方側を覆うキャップを有し、前記傾斜面の周囲径が前記キャップの外径より径小であり、この傾斜面は外周側から前記貫通穴に向かうにつれて前記指針との隙間が大きくなると共に、前記表示板の表面よりも背後側に位置するように前記貫通孔周囲を折り曲げることによって形成されることを特徴とする計器の指針照明装置。
【発明の詳細な説明】
【技術分野】
【０００１】
本発明は、例えば車両に搭載される計器の指針照明装置に関し、特に光源からの光を受けて光輝する指針を備えた計器の指針照明装置に関するものである。
【背景技術】
【０００２】
表示板上で回動する指針の背後に光源からの光を導いて指針を光輝させる指針照明装置において、指針と表示板との隙間からの漏れ光を抑えるものとして、例えば下記特許文献１あるいは特許文献２が知られている。
【特許文献１】実公平６−２００９７号公報
【特許文献２】特開２００４−１２５４９８号公報
【０００３】
特許文献１に記載の計器の照明装置は、その第１図に示されている様に、指針軸６の先端に指針キャップ３を備えた指針２を取り付け、文字板１の背面に設けた導光板４からの光を指針基部２ａに導いて、指針２を光輝させるようにした計器の照明装置において、文字板１の孔縁部に指針キャップ３との間の間隙８に突出する遮光リング１０を装着したものである。この様に構成することによって、指針２の明るさを低下させずに指針キャップ３周辺の文字板１上でのハレーション（光漏れ）を防止できる、というものである。
【０００４】
また、特許文献２に記載の指針照明装置は、指針本体１０と遮光性カバー１１とを備える指針１と、表示板２の背面側に位置し指針１の光導入部１３に照明光を導いて指針１を光輝させる光源３と、表示板２に固定され遮光性カバー１１側に延びる遮光壁部４１を有するカラー部材４と、指針本体１０の回動中心領域Ｒを背後から覆うとともに光源３からの照明光を光導入部１３に通過させる採光部１６と遮光壁部４１の内側に延びる遮光部１７とを有する被覆部材１２とを備え、光導入部１３に突出部１８を設けて、遮光性カバー１１と遮光壁部４１と遮光部１７と突出部１８とで迷路状の光漏れ抑制部を形成したものであり、この様に構成することによって、指針１と表示板２との間からの光漏れを低減することができる、というものである。
【発明の開示】
【発明が解決しようとする課題】
【０００５】
しかしながら、前記特許文献１における計器の照明装置は、単に遮光リング１０の壁１０ａと指針キャップ３とを所定の間隔を空けてオーバーラップさせるだけの構造であるため、導光板４を通じて指針基部２ａ側に導かれた照明光の内、指針基部２ａ等に反射した照明光が遮光リング１０の壁１０ａと指針キャップ３との間を通って文字板１表面に漏れやすく、これが光漏れ（ハレーション）となって視認され照明品質を低下させてしまうことがあり、この点で改良の余地が残されていた。
【０００６】
特許文献２における指針照明装置は、迷路状の光漏れ抑制部を形成することによって、特許文献１に比べて光漏れをより抑えることができるが、反射を繰り返しながら文字板１上に光が漏れる虞もある。また、光漏れをより抑えるために、被覆部材１２および光導入部１３に遮光部１７や突出部１８を設けるとともに、遮光性カバー１１と遮光部１７（あるいは突出部１８）との間に所定の間隔を空けて、カラー部材４の遮光壁部４１を入り込むようにする必要があるなど構成が複雑となってしまう。
【０００７】
本発明はこの様な点に鑑みなされたもので、単純な構成でもって指針と表示板との間からの光漏れを抑えることが可能な計器の指針照明装置を提供することを目的とする。
【課題を解決するための手段】
【０００８】
本発明は前記目的を達成するために、回動軸を有する計器本体と、指示部と前記回動軸の先端側に固着される指針軸とを有する指針と、この指針の背後に配置され前記回動軸あるいは前記指針軸が挿通される貫通穴とを有する表示板と、この表示板背後の前記回動軸の周囲に配置され前記貫通穴を通して前記指針を照明する光源とを備え、前記表示板は前記貫通穴の周囲に傾斜面を有し、前記指針は前記指針軸の前方側を覆うキャップを有し、前記傾斜面の周囲径が前記キャップの外径より径小であり、この傾斜面は外周側から前記貫通穴に向かうにつれて前記指針との隙間が大きくなると共に、前記表示板の表面よりも背後側に位置するように前記貫通孔周囲を折り曲げることによって形成されるものである。
【０００９】
また、回動軸を有する計器本体と、指示部と前記回動軸の先端側に固着される指針軸とを有する指針と、この指針の背後に配置され前記回動軸あるいは前記指針軸が挿通される貫通穴とを有する表示板と、この表示板背後の前記回動軸の周囲に配置され前記貫通穴を通して前記指針を照明する光源と、この光源を囲む筒部を有し前記表示板を保持する保持部材とを備え、前記表示板は前記貫通穴の周囲に傾斜面を有し、前記指針は前記指針軸の前方側を覆うキャップを有し、前記傾斜面の周囲径が前記キャップの外径より径小であり、この傾斜面は外周側から前記貫通穴に向かうにつれて前記指針との隙間が大きくなると共に、前記表示板の表面よりも背後側に位置するように前記貫通孔周囲を折り曲げることによって形成されるものである。
【発明の効果】
【００１２】
単純な構成でもって指針と表示板との間からの光漏れを抑えることが可能な計器の指針照明装置を得ることができる。
【発明を実施するための最良の形態】
【００１３】
本発明を適用した車両の計器を実施形態として説明する。図１は本発明の第１実施形態を示す速度計（計器）の断面図であり、計器ユニットＡと、計器ユニットＡが収納されるケースＢに大別される。計器ユニットＡは、硬質な回路基板１と、この回路基板１の裏面側に回路基板１と導通状態で装着され、回路基板１を貫通して前方に延びる回動軸２を有する計器本体３と、指示部４と回動軸２の先端側に固着される指針軸５とを有する指針６と、この指針６の背後に配置され指示部４の指示対象となる車両の速度を現す目盛，数字などの表示部（図示せず）が施された表示板７と、この表示板７の背後に配置された拡散板８と、拡散板８および表示板７が保持される保持部材９を備えている。
【００１４】
また、計器本体３の回動軸２周囲の回路基板１上に配置され、表示板７の貫通穴１０を通して指針６を照明する光源としての指針用発光ダイオード１１と、拡散板８背後の回路基板１上に配置され、表示板７を照明する光源としての表示板用発光ダイオード１２を備えている。１３は表示板７の周縁に間隔を設けて複数装着され、表示板７が振れるのを抑えるためのゴム製の防振部材である。
【００１５】
ケースＢは、表示板７の前方側や周囲を覆う上ケース１４と、回路基板１の裏面側や保持部材９の周囲を覆う合成樹脂製の下ケース１５とからなる。上ケース１４は合成樹脂からなる無色透明な透視板１６と、この透視板１６の周囲に一体的に形成された例えば黒色の合成樹脂からなる覆い部１７および側壁１８とからなる。
【００１６】
指針６は、無色透明な合成樹脂からなる指示部４や指針軸５の他に、指針軸５の前方側を覆う遮光性の合成樹脂からなるキャップ１９を備えている。２０は銅合金からなるバランサーである。また、指示部４の表面および裏面には例えば赤色の箔（図示せず）がホットスタンプされており、昼間など周囲が明るい時は指示部４が赤色で視認される。なお、本実施形態においては指示部４と指針軸５とが一体となっているが、別体でも良い。
【００１７】
保持部材９は、遮光性のある例えば白色の合成樹脂からなり、回動軸２の周囲に配置された指針用発光ダイオード１１を囲む筒部２１と、表示板用発光ダイオード１２を囲むように配置された反射壁２２と、外周壁２３などを有している。この保持部材９上に拡散板８および表示板７が保持されている。また、筒部２１の先端側は表示板７および拡散板８の貫通穴１０，１０Ａを挿通している。
【００１８】
表示板７は、光透過性を有する例えば暗色系の合成樹脂成型品（基板）からなり、基板の表面側に凸状の表示部（図示せず）が一体に設けてある。また、基板の裏面側にも表面側に設けられた表示部に対応した突部（図示せず）が一体に設けてある。そして、表面側の表示部には例えば白色の箔がホットスタンプされ、裏面側の突部には例えば黒色の箔がホットスタンプされている。また、計器本体３の回動軸２あるいは指針６の指針軸５が挿通される貫通穴１０の周囲には傾斜面２４が設けてある。この傾斜面２４は外周側から貫通穴１０に向かうにつれて指針６との隙間Ｘが大きくなるように表示板７を内周側へ折り曲げて形成してある。また、傾斜面２４の周囲径Ｄ１はキャップ１９の外径Ｄ２より径小としてある。
【００１９】
拡散板８は、無色透明な基板の表面側に、表示部が設けられた表示板７の表示領域（表示部に沿った領域）にほぼ対応して例えば白色透過層を印刷によって設け、それ以外は黒色印刷が施してある。また、基板の裏面には調光層が設けてある。この調光層は白色透過層を透過した表示板用発光ダイオード１２の光が表示板７の裏面側をほぼ均一に照射するように透過光量を調整するものである。
【００２０】
この様に構成した計器において、表示板７は暗色の基板上に表示部が白色で視認される。また、夜間など周囲が暗い時、例えば白色で発光する表示板用発光ダイオード１２が点灯した際は、拡散板８を透過した光によって表示部以外が白色で透過照明され、表示部が黒色で視認される。この際、拡散板８に黒色印刷を施した領域は光が透過しないため、その領域に対応した表示板７箇所は白色で透過照明され難い。指針６は、夜間など周囲が暗い時には例えば赤色で発光する指針用発光ダイオード１１を点灯させることにより、指針軸５周辺から入射して反射面２５で反射して指示部４側に導かれた光が指示部４の表面に設けられた赤色の箔を透過して指示部４が赤色で光輝するようになっている。
【００２１】
なお、指針用発光ダイオード１１から出射した光が全て指針６の指示部４に導かれるものではなく、指針軸５周辺やキャップ１９に反射して表示板７の貫通穴１０周辺に向かう光もある。その際、前述した様に貫通穴１０の周囲には傾斜面２４が設けてあり、この傾斜面２４は外周側から貫通穴１０に向かうにつれて指針６との隙間Ｘが大きくなるように表示板７を内周側へ折り曲げて形成してある。従って、傾斜面２４を照射した光はキャップ１９の周囲前方（即ち、車両運転者の視線側）に向かわずにキャップ１９の中心方向に向かう。よって、光が傾斜面２４を照射したとしても光漏れとはなり難い。
【００２２】
この様に、従来用いていた光漏れ防止用のリング部材なども必要なく、表示板７の貫通穴１０周囲に上述した様な傾斜面２４を設けるだけの単純な構成でもって指針６と表示板７との間からの光漏れを抑えることができる。また、指針用発光ダイオード１１を囲む筒部２１を有し、拡散板８および表示板７が保持される保持部材９を備えているため、指針６と表示板７との間からの光漏れを抑えることができるとともに、指針用発光ダイオード１１と表示板用発光ダイオード１２との発光色が異なっていても両発光色が混じり合うことが無く、照明品質が低下することがない。更に、拡散板８および表示板７の保持も安易である。
【００２３】
また、傾斜面２４の周囲径Ｄ１をキャップ１９の外径Ｄ２より径小としたことにより、車両運転者側から傾斜面２４が見えにくくなり、計器の見栄えが低下することもない。なお、違和感がなければ傾斜面２４の周囲径Ｄ１はキャップ１９の外径Ｄ２より多少大きくとも良い。
【００２４】
なお、本実施形態に於いては、表示板７は拡散板８を介して間接的に保持部材９に保持されているが、拡散板８を用いない場合は表示板７が保持部材９に直接的に保持される。また、表示板７を光透過性を有する暗色系の合成樹脂成型品としたが、材料および印刷の色調や形状などは任意である。
【００２５】
図２は、本発明の第２実施形態を示す速度計（計器）の部分断面図である。本実施形態に於いては、前記第１実施形態における拡散板は用いず、また表示板が主に異なるのみで他は同じため、前記第１実施形態と同一もしくは相当箇所については同一符号を付し、その詳細説明は省略する。
【００２６】
表示板７は、合成樹脂製の無色透明な薄い基板（シート材）の表面側に、車両の速度などを現す目盛，数字などの表示部（図示せず）を形成するための例えば白色の透過性表示層（図示せず）を印刷した後、表示部箇所を除いて地部となる黒色（不透過性）の地色層（図示せず）が印刷形成してある。また、計器本体３の回動軸２あるいは指針６の指針軸５が挿通される貫通穴１０の周囲には傾斜面２４が設けてある。この傾斜面２４は外周側から貫通穴１０に向かうにつれて指針６との隙間Ｘが大きくなるように形成してあるとともに、傾斜面２４の周囲径Ｄ１はキャップ１９の外径Ｄ２より径小としてある。なお、傾斜面２４は印刷後、例えばプレス機を用いて表示板７の貫通穴１０周囲を折り曲げることによって形成された折り曲げ部２６の指針６側の面である。この表示板７は保持部材９に保持され、貫通穴１０内に保持部材９の筒部２１の先端側が挿入されている。
【００２７】
この様に構成した計器において、表示板７は黒色の地部上に表示部が白色で視認される。また、夜間など周囲が暗い時、例えば白色で発光する表示板用発光ダイオード１２が点灯した際も、表示部は白色で透過照明される。指針６は、前記第１実施形態と同様に、周囲が明るい時は指示部４が赤色で視認され、周囲が暗い時には赤色で発光する指針用発光ダイオード１１を点灯させることにより、指示部４が赤色で光輝するようになっている。
【００２８】
なお、前記第１実施形態と同様に、指針軸５周辺やキャップ１９に反射して表示板７の貫通穴１０周辺に向かい傾斜面２４を照射した光は、キャップ１９の周囲前方（即ち、車両運転者の視線側）に向かわずにキャップ１９の中心方向に向かう。よって、光が傾斜面２４を照射したとしても光漏れとはなり難い。
【００２９】
この様に、前記第１実施形態と同様の効果が得られる。また、表示板７が薄い板厚であっても貫通穴１０の周囲を内周側に折り曲げることによって傾斜面２４が形成されるため、表示板７に傾斜面２４を容易に設けることができる。
【００３０】
図３は、本発明の第３実施形態を示す速度計（計器）の部分断面図である。前記各実施形態と同一もしくは相当箇所については同一符号を付し、その詳細説明は省略する。
【００３１】
速度計は、硬質な回路基板１と、この回路基板１の表面側に回路基板１と導通状態で装着され、前方に延びる回動軸２を有する計器本体３と、指示部４と回動軸２の先端側に固着される指針軸５とを有する指針６と、この指針６の背後に配置され指示部４の指示対象となる車両の速度を現す目盛，数字などの表示部（図示せず）が施された表示板７と、回路基板１に装着され指針６や表示板７を照明する光源としてのランプ２７と、表示板７の裏面側に配置されランプ２７の光を指針６の指示部４に導く導光部材２８を備えている。
【００３２】
指針６は、無色透明な合成樹脂からなる指示部４や指針軸５の他に、指針軸５の前方側を覆う遮光性の合成樹脂からなるキャップ１９を備えている。また、指示部４の裏面には例えば白色の箔（図示せず）がホットスタンプされており、昼間など周囲が明るい時は指示部４が白色で視認される。
【００３３】
表示板７は、前記第２実施形態と同様に、合成樹脂製の無色透明な薄い基板（シート材）の表面側に表示部（図示せず）が例えば白色で印刷され、表示部以外の地部は黒色が印刷されている。また、貫通穴１０の周囲には傾斜面２４が設けてある。この傾斜面２４は外周側から貫通穴１０に向かうにつれて指針６との隙間Ｘが大きくなるように形成してあるとともに、傾斜面２４の周囲径Ｄ１はキャップ１９の外径Ｄ２より径小としてある。なお、傾斜面２４は印刷後、表示板７の貫通穴１０周囲を内周側に折り曲げることによって形成された折り曲げ部２６の指針６側の面である。
【００３４】
導光部材２８は、無色透明な合成樹脂からなり、表示板７に沿った平面部２９と、平面部２９からランプ２７に向かう受光部３０を有する。また、平面部２９と受光部３０との間には第１の反射面３１が設けてあるとともに、貫通穴１０Ｂ周囲には第２の反射面３２が設けてある。この導光部材２８と表示板８は計器本体３に取付固定される。
【００３５】
この様に構成した計器において、夜間など周囲が暗い時にランプ２７が点灯すると、導光部材２８の受光部３０から入射した光は第１の反射面３１で反射して平面部２９に導かれる。そして第２の反射面３２で反射して指針６側に出射する。この光が表示板７の貫通穴１０を通って指針６内に入射し、指示部４裏面の白色の箔に反射して指示部４が白色で光輝するようになっている。また、表示板７の表示部はランプ２７の直射光を背後から受けて、あるいは導光部材２８の平面部２９に導かれた光を受けて白色で透過照明される。
【００３６】
なお、前記各実施形態と同様に、指針軸５周辺やキャップ１９に反射して表示板７の貫通穴１０周辺に向かい傾斜面２４を照射した光は、キャップ１９の周囲前方（即ち、車両運転者の視線側）に向かわずにキャップ１９の中心方向に向かう。よって、光が傾斜面２４を照射したとしても光漏れとはなり難い。この様に、前記各実施形態と同様の効果を得ることができる。なお、表示板７は合成樹脂製のシート材としたが、前記第１実施形態と同様な合成樹脂成型品としても良い。合成樹脂成型品とした場合、シート材に比べて板厚が厚くなり、折り曲げが難しくなるが表示板を成型する際の成型金型で対応できるため、容易に傾斜面を設けることができる。
【図面の簡単な説明】
【００３７】
【図１】本発明の第１実施形態を示す計器の断面図。
【図２】本発明の第２実施形態を示す計器の部分断面図。
【図３】本発明の第３実施形態を示す計器の部分断面図。
【符号の説明】
【００３８】
２  回動軸
３  計器本体
４  指示部
５  指針軸
６  指針
７  表示板
９  保持部材
１０  貫通穴
１１  指針用発光ダイオード（光源）
１９  キャップ
２１  筒部
２４  傾斜面
Ｘ  隙間
Ｄ１  周囲径
Ｄ２  外径
【図１】
0004792909.tif 000002
【図２】
0004792909.tif 000003
【図３】
0004792909.tif 000004